(57)【要約】【課題】利用者にとって設定作業が容易となる学習リモコンシステムを得る。【解決手段】通常モードにおいては、本体３は設定情報を参照せず、制御情報のみを参照して動作する。すなわち、受信した制御信号に対応した動作（制御内容）は設定情報によらず決まっている。一方、リモコン送信機２は、設定情報を記憶し、設定情報のみを参照して動作をする。すなわち、操作キーに対応する制御信号は、設定情報を参照して生成される。学習モードにおいては、リモコン送信機２と本体３とが設定情報に関する双方向通信を行う。その後、設定情報の編集作業は本体３を用いて行われる。すなわち、この学習リモコンシステム１においては、設定情報が利用者により任意に設定でき、この設定が本体３における表示部３３を用いて行われる。これにより、この設定を利用者にとって特に容易に行うことができる。【選択図】図１
2008271163.tif 000002
【特許請求の範囲】
【請求項１】
複数の操作キーを備え、該操作キーに対応した制御信号を発するリモコン送信機と、前記制御信号を受信して前記制御信号に対応した制御が行われる本体とで構成され、前記操作キーと前記本体における制御内容との対応関係を利用者が設定することができる学習リモコンシステムであって、
前記リモコン送信機は、
前記操作キーと前記制御信号との対応関係のデータである設定情報を前記本体との間で授受する機能と、前記制御信号を発信する機能とをもつリモコン送受信部と、
前記操作キーが操作された際に、前記設定情報に基づいて、前記制御信号を前記送受信部に発信させるリモコン制御部とを具備し、
前記本体は、
前記設定情報を前記リモコン送信機との間で授受する機能をもつ本体送受信部と、
前記操作キーと前記制御内容との対応関係を表示する表示部と、
前記操作キーと前記制御内容との対応関係を利用者に設定させることにより、前記設定情報を作成する本体制御部とを具備することを特徴とする学習リモコンシステム。
【請求項２】
前記リモコン送信機は、
前記設定情報を記憶するリモコン記憶部を具備することを特徴とする請求項１に記載の学習リモコンシステム。
【請求項３】
前記本体は、
前記制御信号と前記制御内容との対応関係のデータである制御情報を記憶する本体記憶部を具備することを特徴とする請求項１または２に記載の学習リモコンシステム。
【請求項４】
前記本体記憶部は、前記設定情報を記憶することを特徴とする請求項３に記載の学習リモコンシステム。
【請求項５】
前記表示部は、前記リモコン送信機における操作キーの配列を表示することを特徴とする請求項１乃至４のいずれか１項に記載の学習リモコンシステム。
【請求項６】
複数の操作キーを備え、該操作キーに対応する制御信号を発するリモコン送信機と、前記制御信号を受信して前記制御信号に対応した制御が行われる本体とで構成され、前記操作キーと前記本体における制御内容との対応関係が利用者により設定される学習リモコンシステムの設定方法であって、
前記操作キーと前記制御信号との対応関係のデータである設定情報をリモコン送信機から前記本体が受信する設定情報受信工程と、
前記本体が、前記設定情報に基づき、前記操作キーと前記制御内容との対応関係を前記本体における表示部に表示する表示工程と、
利用者に前記対応関係のデータを編集させることにより前記操作キーと前記制御内容との対応関係を設定する編集工程と、
前記設定後の前記操作キーと前記制御内容との対応関係から、前記設定情報を生成する設定情報生成工程と、
前記本体が前記設定情報を前記リモコン送信機に送信する設定情報送信工程と、
を具備することを特徴とする学習リモコンシステムの設定方法。
【請求項７】
前記設定情報生成工程において、
前記制御信号と前記制御内容との対応関係のデータである制御情報に基づき、前記設定後の前記操作キーと前記制御内容との対応関係から前記設定情報を作成することを特徴とする請求項６に記載の学習リモコンシステムの設定方法。
【請求項８】
請求項１乃至５のいずれか１項に記載の学習リモコンシステムが用いられることを特徴とする電気機器。
【発明の詳細な説明】
【技術分野】
【０００１】
本発明は、利用者が電気機器を遠隔操作する際に用いられ、利用者がその設定を行うことのできる学習リモコンシステム、及びその設定方法、学習リモコンシステムを用いた電気機器に関する。
【背景技術】
【０００２】
テレビやビデオデッキに代表される電気機器では、リモコン送信機を用いた制御が日常的に行われている。リモコン送信機は、各種の制御に応じた信号を発信し、制御される機器（本体）はこの信号を受信してこれに応じた動作をする。例えば、利用者がリモコン送信機にある操作キーを押した場合、この操作キーに応じた信号が赤外線で発信される。この信号をテレビ側が受信し、その信号内容を解読することによって、テレビ本体から数ｍ離れた場所からテレビの受信チャンネルや音量を設定することができる。こうしたリモコン送信機には、各種の機能に対応して多数の操作キーが設けられている。
【０００３】
また、一般家庭には、リモコン送信機で制御される電気機器が複数台混在している場合が多い。例えば、テレビ、ビデオデッキ、ＤＶＤプレーヤー、エアコン等の異なる電気機器が同じ部屋に混在している場合もある。この場合、各電気機器毎にリモコン送信機が存在し、利用者はリモコン送信機を選択して、各電気機器の本体の操作を行うことが必要である。また、利用者が頻繁に利用する操作キーは一般にはその一部であり、頻繁に利用される操作キーが利用者により異なる場合もある。このため、操作キーの設定は機器毎、かつ利用者毎に行うことが好ましい。
【０００４】
こうした状況に対応して、近年では学習機能付きリモコン（学習リモコン）が用いられている。学習リモコンの特徴は、操作キーと、これに対応した制御内容との対応を利用者が自在に設定できることである。
【０００５】
この場合には、どの操作キーがどの電気機器のどの制御内容（例えば、テレビにおける音量制御や、ＤＶＤプレーヤーの再生開始等）に対応しているかを、利用者が認識する必要がある。このため、利用者がこの認識をしやすくするための構成が提案されている。例えば特許文献１には、制御される電気機器の本体側がリモコン送信機側に、制御内容についてのデータを送信する、双方向通信が可能な学習リモコンシステムが記載されている。リモコン送信機はこのデータを受信し、タッチパネルにおいて、操作される操作キーと共にこの制御される内容を簡易表示するシンボルデータを表示する。これにより、利用者はこの学習リモコンを容易に用いることができた。
【０００６】
しかしながら、学習リモコンにおける設定が一度行われれば、その後の使用は容易であるが、その設定には手間がかかるという問題がある。このため、特許文献２には、学習リモコンにおけるリモコン送信機側が各種の制御内容に関するデータを記憶し、設定時には、各操作キーに対応する制御信号と共に、この制御内容に対応する情報がリモコン送信機側から本体側に送信される技術が記載されている。本体側で制御信号とその制御内容とを関連づけて設定して記憶する。本体側では、この制御信号を受信した場合には、このデータに基づいて、この制御内容に対応する制御が行われる。この設定は、リモコン送信機側の表示パネルを利用者が操作することにより行われる。これにより、学習リモコンの設定を容易に行うことができた。
【０００７】
【特許文献１】特開２０００−１９７１６２号公報
【特許文献２】実開平４−３８１９３号公報
【発明の開示】
【発明が解決しようとする課題】
【０００８】
しかしながら、特許文献２に記載の技術においても、操作キーと電気機器の機能との関係の設定作業自体は複雑であり、利用者にとって煩わしいものであった。特に、電気機器の多機能化が進むにつれて、操作キーの数が限定された小さなリモコン送信機を用いて学習リモコンシステムの設定を行うことは手間のかかる作業となった。
【０００９】
本発明は、斯かる問題点に鑑みてなされたものであり、上記問題点を解決する発明を提供することを目的とする。
【課題を解決するための手段】
【００１０】
本発明は、上記課題を解決すべく、以下に掲げる構成とした。
本発明の学習リモコンシステムは、複数の操作キーを備え、該操作キーに対応した制御信号を発するリモコン送信機と、前記制御信号を受信して前記制御信号に対応した制御が行われる本体とで構成され、前記操作キーと前記本体における制御内容との対応関係を利用者が設定することができる学習リモコンシステムであって、前記リモコン送信機は、前記操作キーと前記制御信号との対応関係のデータである設定情報を前記本体との間で授受する機能と、前記制御信号を発信する機能とをもつリモコン送受信部と、前記操作キーが操作された際に、前記設定情報に基づいて、前記制御信号を前記送受信部に発信させるリモコン制御部とを具備し、前記本体は、前記設定情報を前記リモコン送信機との間で授受する機能をもつ本体送受信部と、前記操作キーと前記制御内容との対応関係を表示する表示部と、前記操作キーと前記制御内容との対応関係を利用者に設定させることにより、前記設定情報を作成する本体制御部とを具備することを特徴とする。
本発明の学習リモコンシステムにおいて、前記リモコン送信機は、前記設定情報を記憶するリモコン記憶部を具備することを特徴とする。
本発明の学習リモコンシステムにおいて、前記本体は、前記制御信号と前記制御内容との対応関係のデータである制御情報を記憶する本体記憶部を具備することを特徴とする。
本発明の学習リモコンシステムにおいて、前記本体記憶部は、前記設定情報を記憶することを特徴とする。
本発明の学習リモコンシステムにおいて、前記表示部は、前記リモコン送信機における操作キーの配列を表示することを特徴とする。
本発明の学習リモコンシステムの設定方法は、複数の操作キーを備え、該操作キーに対応する制御信号を発するリモコン送信機と、前記制御信号を受信して前記制御信号に対応した制御が行われる本体とで構成され、前記操作キーと前記本体における制御内容との対応関係が利用者により設定される学習リモコンシステムの設定方法であって、前記操作キーと前記制御信号との対応関係のデータである設定情報をリモコン送信機から前記本体が受信する設定情報受信工程と、前記本体が、前記設定情報に基づき、前記操作キーと前記制御内容との対応関係を前記本体における表示部に表示する表示工程と、利用者に前記対応関係のデータを編集させることにより前記操作キーと前記制御内容との対応関係を設定する編集工程と、前記設定後の前記操作キーと前記制御内容との対応関係から、前記設定情報を生成する設定情報生成工程と、前記本体が前記設定情報を前記リモコン送信機に送信する設定情報送信工程と、を具備することを特徴とする。
本発明の学習リモコンシステムの設定方法は、前記設定情報生成工程において、前記制御信号と前記制御内容との対応関係のデータである制御情報に基づき、前記設定後の前記操作キーと前記制御内容との対応関係から前記設定情報を作成することを特徴とする。
本発明の電気機器は、前記学習リモコンシステムが用いられることを特徴とする。
【発明の効果】
【００１１】
本発明は以上のように構成されているので、利用者にとって設定作業が容易となる学習リモコンシステムを得ることができる。
【発明を実施するための最良の形態】
【００１２】
以下、本発明を実施するための最良の形態について説明する。
【００１３】
本発明の実施の形態である学習リモコンシステム１の構成を図１に示す。ここで、この学習リモコンシステム１は、リモコン送信機２と本体３とから構成され、テレビジョン受像機に組み込まれており、本体３は実際にはテレビジョン受像機となっている。すなわち、通常のテレビジョン受像機機能４が設けられ、これにこの学習リモコンシステム１が接続されている。テレビジョン受像機機能４は、受信回路、復調回路等で構成される一般的なものである。ここで、リモコン送信機２と本体３とは相互に通信できる機能をもつ。この学習リモコンシステム１には、通常モードと学習モードの２種類の動作モードがある。通常モードにおいては、テレビジョン受像機としての制御を行う。すなわち、例えば受信チャンネルの選択や音量調整等の制御を行う。学習モードにおいては、この学習リモコンシステムにおける設定動作のみを行う。
【００１４】
リモコン送信機２においては、複数の操作キーからなる操作部２１が設けられており、この操作キーのいずれかが利用者に操作される。通常モードにおいては、リモコン制御部２２は、どの操作キーが操作されたかに基づいて、本体３を制御する信号を生成する。リモコン記憶部２３は、各操作キーと本体の制御内容との対応関係を示す情報である設定情報を記憶しているメモリである。リモコン制御部２２は、この設定情報に基づいて、操作された操作キーに対応する信号を生成する。リモコン送受信部２４ではこの信号で赤外線信号を変調した制御信号を生成して本体３に発信する。また、通常モードと学習モードの切替は、モード切替ボタン２５により行われる。
【００１５】
また、モード切替ボタン２５が操作され、学習モードとする際には、リモコン制御部２２は、リモコン送受信部２４に、設定情報を符号化して赤外線信号を変調した設定情報信号を本体３に発信させる。学習モードにおいては、リモコン制御部２２は、設定情報を編集するための信号を生成し、同様にリモコン送受信部２４から出力させる。また、後述するように、学習モードから通常モードとされる際には、リモコン送受信部２４は、本体３から発信された設定情報信号を受信する。すなわち、リモコン送受信部２４は、本体３との間で設定情報を授受する。
【００１６】
本体３においては、通常モードでは、本体送受信部３１が制御信号を受信し、これを復調して得られた信号を本体制御部３２に出力する。本体制御部３２は、これに基づき、テレビジョン受像機機能４の制御、例えばチャンネルの設定や音量の調節等を行う。これにより、操作部２１における操作キーの選択により、利用者はテレビジョン受像機における所望の操作を行うことができる。表示部３３は、例えばテレビジョン受像機における液晶ディスプレイであり、通常モードにおいては、テレビ番組等の画像を表示する。
【００１７】
通常モードから学習モードとされる際には、本体送受信部３１は、リモコン送信機２から設定情報信号を受信し、本体制御部３２に出力する。学習モードにおいては、本体制御部３２は、リモコン送信機２から発信された設定情報を編集するための信号に基づき、各操作キーと各制御内容との対応関係を表示部３３に表示させ、この編集作業を利用者に行わせる。また、後述するように、学習モードから通常モードとされる際には、本体送受信部３１は、リモコン送信機２に設定情報信号を発信する。すなわち、本体送受信部３１は、リモコン送信機２との間で設定情報を授受する。
【００１８】
ここで、通常モードにおいて、本体送受信部３１が受信する制御信号と、これに対応する制御内容との関係は設定情報によらず決まっている。例えば、ある設定情報において操作キーＡがテレビジョン受像機における「音量大」に対応し、他の設定情報においては操作キーＢが「音量大」に対応している場合において、前者において操作キーＡが操作された場合と、後者において操作キーＢが操作された場合とで、受信する制御信号は同一である。すなわち、本体３における本体制御部３２は、現在の設定情報がどうなっているかを認識する必要がなく、ある制御信号を受信した際の動作は常に決まっている。この制御内容と制御信号との関係は、制御情報として本体記憶部３４に記憶されている。
【００１９】
この学習リモコンシステム１における設定情報、制御情報の例を図２に示す。図２における（ａ−１）、（ａ−２）は２種類の設定情報、（ｂ）は制御情報である。ここで、制御情報（ｂ）における制御内容１等は、例えば「電源Ｏｎ／Ｏｆｆ」、「入力切換」、「チャンネル＋」、「チャンネル−」等に該当する。２種類の設定情報に対応する、操作キーと動作（制御内容）との関係を示す表が（ｃ−１）、（ｃ−２）である。この学習リモコンシステム１において利用者が設定したい項目は、最終的には操作キーと動作（制御内容）との関係であるが、これは設定情報のみを編集することで達成できる。
【００２０】
ここで、通常モードにおいては、本体３は設定情報を参照せず、制御情報のみを参照して動作する。すなわち、受信した制御信号に対応した動作（制御内容）は設定情報によらず決まっている。一方、リモコン送信機２は、設定情報を記憶し、設定情報のみを参照して動作をする。すなわち、操作キーに対応する制御信号は、設定情報を参照して生成される。
【００２１】
学習モードにおいては、リモコン送信機２と本体３とが設定情報に関する双方向通信を行う。その後、設定情報の編集作業は本体３を用いて行われる。すなわち、この学習リモコンシステム１においては、設定情報が利用者により任意に設定でき、この設定が本体３における表示部３３を用いて行われる。これにより、この設定を利用者にとって特に容易に行うことができる。
【００２２】
この設定方法を示すフロー図が図３である。ここで、通常モードである場合に、利用者がこの設定をすることを希望する際には、図１中のリモコン送信機２におけるモード切替ボタン２５を押す。これにより、この学習リモコンシステムは、通常モードから、学習モードに移行する。このため、本体３に対して学習モードとするための制御信号（学習モード信号）が発信される。また、リモコン制御部２２は、リモコン記憶部２３から、現在の設定情報を読み出し、リモコン送受信部２４がこれを本体３に発信する（Ｓ１１）。この設定情報信号は、他の制御信号と同様に、設定情報を符号化して、赤外線信号を変調したものであればよい。
【００２３】
本体２における本体送受信部３１はこの設定情報信号を受信して復調し、設定情報を得る（設定情報受信工程）。次に、この設定情報に基づき、操作キーと制御内容との対応関係を表示部３３に表示する（Ｓ１２：表示工程）。すなわち、ここで表示される内容は、得られた設定情報が図２（ａ−１）の通りであった場合には、図２（ｃ−１）に対応する内容である。ただし、表示部３３における表示画面が大きい場合には、この内容を図２（ｃ−１）よりも利用者にわかりやすく表示することができる。
【００２４】
ここで表示される画面の例を図４（ａ）〜（ｃ）に示す。図４（ａ）においては、右側にリモコン送信機２における操作部２１の形態が表示されている。すなわち、図中右側は実際の操作部２１同様に多数の操作キーが配列された操作キー表示画面となっている。左側には、このテレビジョン受像機においてこのリモコン送信機２により制御される制御内容の一覧が表示されている。この一覧の中で、利用者が「電源Ｏｎ／Ｏｆｆ」を選択すると、この内容は図中右側の表示における操作キーＡに対応していることが示される（図４（ｂ））。同様に、利用者がこの一覧の中で「入力切換」を選択すると、図中右側の表示における操作キーＢに対応していることが示される（図４（ｃ））。同様にして、他の制御内容についても、対応する操作キーを知ることができる。なお、この場合の一覧における選択は、リモコン送信機２における操作部２１における矢印キー（アップダウンキー）を用いて行うことができる。
【００２５】
利用者はこれを見て、制御内容と操作キーとの対応関係がよいかどうかを判定する（Ｓ１３）。この判定は、例えば、リモコン送信機２における操作部２１における「編集終了」キーにより行うことができる。すなわち、この操作キーが押された場合には本体制御部３２はこの対応関係がよいと判定する。
【００２６】
「編集終了」キーが押されない場合には、左側の一覧の中から、再設定すべき制御内容を選択するモードとなる（Ｓ１４）。すなわち、カーソルが図３中左側の一覧の中にある状態となる。利用者は、ここで一覧の中から一つの制御内容を選択する。
【００２７】
次に、操作キー表示画面に移行する（Ｓ１５）。この操作は、例えば、カーソルを左側の一覧の中から右側の操作キー表示画面に移動させることにより行われる。これにより、利用者は、操作キーを選択できる状態になる。
【００２８】
次に、利用者は制御内容と操作キーとの対応関係を編集する（Ｓ１６：編集工程）。例えば、図４（ｃ）において、「入力切換」は操作キーＢに対応していたが、これを操作キーＣに対応させたい場合には、ここで操作キーＣを選択する。これにより、「入力切換」は操作キーＣに設定され、これにより更新された対応関係が図４（ｄ）に示すように再び表示される（Ｓ１２）。利用者はこれを見て、再度設定し直す箇所があるか否かを判定し（Ｓ１３）、再度設定し直す箇所がある場合には、再びＳ１４以降の工程を行う。
【００２９】
設定し直す箇所がない場合には、本体制御部３２は、操作キーと制御内容との対応関係から、設定情報を生成する（設定情報生成工程）。例えば、編集されたこの対応関係が図２（ｃ−２）の通りであれば、制御情報（ｂ）に基づいて、設定情報（ａ−２）が生成される。
【００３０】
この設定情報を本体送受信部３１を介してリモコン送信機２に送信する（Ｓ１７：設定情報送信工程）。設定情報の送信は、本体制御部３２が設定情報を符号化して、これを本体送受信部３１が赤外線を変調し、設定情報信号として発信する。これは、リモコン制御部２２がリモコン送受信部２４に設定情報信号を発信させる場合と同様である。
【００３１】
リモコン送信機２において、リモコン送受信部２４がこの設定情報信号を受信して復調し、設定情報をリモコン制御部２２に出力する。リモコン制御部２２は、この更新された設定情報を新たにリモコン記憶部２３に記憶させる。その後、リモコン制御部２２は、動作モードを学習モードから通常モードとする（Ｓ１８）。この際、本体３に対して、通常モードとすべき信号（通常モード信号）を発信する。これにより、リモコン送信機２、本体３共に通常モードとなる。
【００３２】
以降は、通常モードにおいて操作部２１における操作キーが操作された場合には、この更新された設定情報に基づいた制御信号が生成され、本体３に対して発信される。
【００３３】
この学習リモコンシステム１においては、表示部３３の表示画面を見て利用者が設定情報の編集を行うことができる。一般に、リモコン送信機２側にも表示画面を設けることが可能であるが、本体３側の表示部３３における表示画面の大きさは、テレビジョン受像機の場合には非常に大きい。このため、この編集作業が非常に容易となる。従って、利用者はこの作業を特に容易に行うことができる。
【００３４】
なお、図３に示したフロー図においては、設定情報を１項目毎に編集し（Ｓ１６）、全ての項目の編集が終了した後に設定情報信号を１回だけリモコン送信機２に発信していた（Ｓ１７：設定情報送信工程）。これに対して、図５に示すフロー図の設定方法を用いることもできる。ここでは、１項目毎に編集が行われる（Ｓ１６）度に、設定情報信号がリモコン送信機２に発信される（Ｓ１７）。この場合も、前記の例と同様に、「編集終了」キーが押されることによって、編集終了とすることができる。
【００３５】
また、上記の例では、学習モードが起動した後の設定情報の編集作業は、表示部３３の表示画面を見ながら、リモコン送信機２側を操作することにより行われた。しかしながら、本体３側にこの編集作業用の操作キーを設け、これを操作することによって利用者が設定情報を編集することも可能である。
【００３６】
ここで、一般には学習リモコンシステムの利用者は多数存在し、リモコン送信機はこれに応じて多数存在する場合がある。この場合、例えば特許文献２に記載の技術のように、本体側で操作キーと制御内容との対応関係の設定を変更した場合に、同時に複数のリモコン送信機が用いられる場合には、この対応関係が混乱し、利用者が予期しない動作をする可能性が高い。
【００３７】
これに対して、この学習リモコンシステム１においては、本体３はこの設定情報の編集に用いられるだけであり、この設定情報を直接利用することはない。本体３において直接用いられるのは制御情報だけであり、これはリモコン送信機によらず一定である。従って、複数のリモコン送信機が同時に用いられても、
利用者が予期しない動作をすることはない。
【００３８】
従って、多数のリモコン送信機が同時に用いられる場合であっても信頼性の高い学習リモコンシステムを得ることができる。従って、例えば、利用者が各自保有する携帯電話機等をリモコン送信機として用いることもできる。すなわち、信頼性が高く、かつその設定が容易な学習リモコンシステムが得られる。
【００３９】
なお、大画面の表示部３３が用いられるため、操作キーと制御内容の対応関係の表示、編集方法は、図４に示す例に限られるものではなく、利用者が操作しやすい方式であれば任意に行うことができる。例えば、図６に示すように、この学習リモコンシステムがテレビジョン受像機に用いられる場合には、このテレビジョン受像機に備え付けられた通常のリモコン送信機の操作部（図６中左側）と、学習リモコンのリモコン送信機の操作部（図６中右側）とを同時に表示させることができる。これらの操作キーを画面上で関連付けることにより、利用者は特に容易に設定情報の編集を行うことができる。
【００４０】
また、上記の例では、設定情報を記憶するのはリモコン送信機２におけるリモコン記憶部２３であったが、本体３における本体記憶部３４もこれを記憶する構成としてもよい。この場合、例えば、本体記憶部３４が複数のリモコン送信機に対応した複数の設定情報を記憶することができる。利用者は、この中から任意の設定情報を選択して設定情報信号として発信させ、これを任意のリモコン送信機で受信することにより、その設定情報を更新することもできる。これにより、更にこの設定が容易となる。特に、異なるリモコン送信機で同じ設定情報を共有したい場合には、この構成が好ましい。
【００４１】
上記の例では、この学習リモコンシステムがテレビジョン受像機に組み込まれ、本体はテレビジョン受像機本体となっていたが、これに限られるものではない。同様に表示部を有する電気機器として、例えば、エアコン、ＤＶＤレコーダ等にも同様にこの学習リモコンシステムを組み込むことができる。
【図面の簡単な説明】
【００４２】
【図１】本発明の実施の形態となる学習リモコンシステムの構成を示す図である。
【図２】本発明の実施の形態となる学習リモコンシステムにおいて用いられる設定情報（ａ−１）（ａ−２）、制御情報（ｂ）、操作キーと制御内容との対応関係（ｃ−１）（ｃ−２）の例である。
【図３】本発明の実施の形態となる学習リモコンシステムの設定方法を示すフロー図である。
【図４】本発明の実施の形態となる学習リモコンシステムの設定方法において表示される画面の例である。
【図５】本発明の実施の形態となる学習リモコンシステムの設定方法の他の例を示すフロー図である。
【図６】本発明の実施の形態となる学習リモコンシステムの設定方法において表示される画面の他の例である。
【符号の説明】
【００４３】
１  学習リモコンシステム
２  リモコン送信機
３  本体
４  テレビジョン受像機機能
２１  操作部
２２  リモコン制御部
２３  リモコン記憶部
２４  リモコン送受信部
２５  モード切替ボタン
３１  本体送受信部
３２  本体制御部
３３  表示部
３４  本体記憶部
【図１】
2008271163.tif 000003
【図２】
2008271163.tif 000004
【図３】
2008271163.tif 000005
【図５】
2008271163.tif 000006
【図４】
2008271163.tif 000007
【図６】
2008271163.tif 000008